(57)【特許請求の範囲】
【請求項１】
支柱の上端に連結金具を介して水平ビームが連結されており、支柱にテーブルや椅子のような什器類又は壁ユニットを取付けたり、或いは、３本以上の支柱で囲われた場所にテーブルを設置したりすることにより、室内又は室外に何らかの用途に供されるスペースを形成するための構造体であって、
前記水平ビームは中空状に形成されていて上板と下板とを備えており、この水平ビームにおける下板の端部を適宜範囲にわたって切欠くことにより、水平ビームの端部に下向き開口部が形成されている一方、
前記連結金具は、支柱から水平横向きに延びると共に水平ビームの前記下向き開口部に下方から嵌まるアームを備えており、前記アームと水平ビームをねじで締結している、
スペース形成用構造体。
【請求項２】
前記水平ビームのうち前記下板を挟んだ両側には、当該下板の下方に突出した一対の下向き突部が形成されており、このため前記下板と一対の下向き突部とで下向き開口溝が形成されている一方、前記支柱には壁ユニットを固定しており、この壁ユニットの上端部が前記水平ビームの下向き開口溝に下方から嵌合している、
請求項１に記載したスペース形成用構造体。
【請求項３】
前記支柱は中空状に形成されている一方、
前記連結金具は、支柱の中空部に上方から嵌入する足部と、この足部の上端に固着されている中空角形の前記アームとを備えており、前記連結金具におけるアームの下面と前記水平ビームにおける下板の下面とが略同一面状になっている、
請求項１又は請求項２に記載したスペース形成用構造体。
【発明の詳細な説明】
【０００１】
【発明の属する技術分野】
本発明は、室内又は室外に設置して各種の用途に供せられる構造体に関するものである。
【０００２】
【従来の技術】
室内や室外に談話スペースや休憩スペース、事務用スペース、会議用スペース、個室状ブースなどの様々の用途のスペースを形成するため、支柱群の上端を水平ビーム（横梁材）で連結したオープン式の構造体が提案されている（例えば特許文献１）。
【０００３】
この特許文献１では水平ビームは下向き開口の溝形に形成されており、水平ビームの端部を連結金具の横向き突出部に上方から嵌め入れて、両者をねじで締結している。
【０００４】
また、空間を仕切る構造体の代表例として間仕切装置があり、この間仕切装置は、支柱を使用したタイプと支柱を使用しないタイプとがある。支柱を使用しない間仕切装置の一例が特許文献２に記載されている。
【０００５】
【特許文献１】
特開２００２−２２３８７３号公報
【特許文献１】
特開２００２−１３８６１７号公報
【０００６】
【発明が解決しようとする課題】
特許文献１のように連結金具の横向き突出部に水平ビームを上方から嵌め込む構成にすると、支柱を所定位置に立設した状態で水平ビームを連結できるため、施工が容易であると共に水平ビームの交換も簡単に行える利点がある。
【０００７】
しかし、水平ビームは全体として下方に大きく開口した溝形になっているため、強度が劣ると共に、溝が目立ち過ぎて美感に劣る虞がある。また、連結金具の横向き突出部の先端と水平ビームの内底面とに段差が生じており、これが下方から視認できることによる美感の悪化という虞もあった。本発明の一つの課題は、このような問題を改善することにある。
【０００８】
他方、例えばオフィスでのスペースの使用形態として、個人の周囲を間仕切で囲ったクローズド式ワークスペースの他に、多人数が空間を共用し合うオープン式ワークスペースや、両者の折衷型ワークスペースなど、ワーキングスタイルが多様化しており、１種類の構造体に壁ユニットを取付けたり取り外したりという使用態様に使い分けたい場合がある。
【０００９】
その場合、壁ユニットの取付け強度を確保する必要がある。本発明の他の課題は、この要請に応えることにある。
【００１０】
【課題を解決するための手段】
本発明は、支柱の上端に連結金具を介して水平ビームが連結されており、支柱にテーブルや椅子のような什器類又は壁ユニットを取付けたり、或いは、３本以上の支柱で囲われた場所にテーブルを設置したりすることにより、室内又は室外に何らかの用途に供されるスペースを形成するための構造体に関する。
【００１１】
そして、請求項１の発明は、前記水平ビームは中空状に形成されていて上板と下板とを備えており、この水平ビームにおける下板の端部を適宜範囲にわたって切欠くことにより、水平ビームの端部に下向き開口部が形成されている一方、前記連結金具は、支柱から水平横向きに延びると共に水平ビームの前記下向き開口部に下方から嵌まるアームを備えており、前記アームと水平ビームをねじで締結している。
【００１２】
請求項２の発明は、請求項１において、前記水平ビームのうち前記下板を挟んだ両側には、当該下板の下方に突出した一対の下向き突部が形成されており、このため前記下板と一対の下向き突部とで下向き開口溝が形成されている一方、前記支柱には壁ユニットを固定しており、この壁ユニットの上端部が前記水平ビームの下向き開口溝に下方から嵌合している。
【００１３】
請求項３の発明は、請求項１又は請求項２において、前記支柱は中空状に形成されている一方、前記連結金具は、支柱の中空部に上方から嵌入する足部と、この足部の上端に固着されている中空角形の前記アームとを備えており、前記連結金具におけるアームの下面と前記水平ビームにおける下板の下面とが略同一面状になっている。
【００１４】
【発明の作用・効果】
本発明によると、水平ビームは中空状に形成されているため強度を確保できる。また、水平ビームに過度に大きな下向き開口溝が空くことはないため、壁ユニット等を備えていないオープン方式の構造体のように水平ビームの下面を下方から視認できる場合であっても美感に優れている。
【００１５】
また、構造体は支柱と水平ビームとで骨組みが構成されており、それ自体が独立してオープン式のスペース形成手段として使用できるのみならず、隣合った支柱に壁ユニットを取付けることにより間仕切状に構成することもできる。
【００１６】
そして、請求項２のように構成すると、支柱に壁ユニットを取付けた場合において、壁ユニットの上端と水平ビームとが嵌合しているため、壁ユニットの広巾面に作用する外力に対して高い抵抗力を保持して、取付け強度を格段に向上することができる。また、水平ビームが壁ユニットの笠木と同様の外観を呈するため、美感に優れている。
【００１７】
請求項３のように構成すると、連結金具の足部を支柱の中空部に嵌入するものであるため、足部は中空状や棒状で良く、このため剛性を確保して強度を保持できる。また、連結金具におけるアームの下面と水平ビームにおける下板の下面とが揃っているため、アームが目立つことがなくて特に美感に優れている。
【００１８】
【発明の実施形態】
次に、本発明の実施形態を図面に基づいて説明する。
【００１９】
(1).第１実施形態（図１〜図10）
まず、図１〜図１０に基づいて第１実施形態を説明する。図１のうち（Ａ）は概略斜視図、（Ｂ）は概略平面図である。この図１に示すように、構造体は、複数本（６本）の支柱１，２の群と、隣合った支柱１，２をその上部において連結する水平ビーム３の群とを備えている。
【００２０】
支柱群は、３本の水平ビーム３が連結されている２本の中間支柱１と、中間支柱１に連結された水平ビーム３が１本だけ連結されているエンド支柱２との２種類が存在しており、各エンド支柱２にテーブル４を固定している。
【００２１】
中間支柱１から延びる３本の水平ビーム３は平面視で１２０度間隔で広がっている。各支柱１，２には、ブラケット（図示せず）を介して小棚板２８を着脱自在に取り付けることができる。以下、各部位の詳細を図２以下の図面に基づいて説明する。
【００２２】
(1)-1.支柱
まず、図２〜図５に基づいて支柱１，２の構造を説明する。図２は図１のII−II視断面図、図３は支柱１，２の分離断面図、図４は図２のIV−IV視断面図、図５のうち（Ａ）は構造体の下部の一部破断分離正面図、（Ｂ）は（Ａ）のＢ−Ｂ視底面図である。
【００２３】
図２や図３に示すように、支柱１，２は、平面視正三角形状で中空のインナー部材５と、インナー部材５における各側面の外側に配置された３本のアウター部材６とで構成されている。インナー部材５のうち平面視で三角形の底辺をなす側面部には、蟻溝型係合部７が形成されている。
【００２４】
他方、アウター部材６は、全体として中空状で、半径外側の部分が巾広となる形状であり、半径内向きの部分には、請求項に記載した係合手段の一例として、軸方向からの抜き差しによってインナー部材５の蟻溝型係合部７に係脱する凸状型係合部８が形成されており。また、アウター部材６の外周部には、上下長手の第１蟻溝９が中心線を挟んだ両側に対称状に形成されている。
【００２５】
隣合ったアウター部材６の間の部分は外側に開口した配線可能空間１１となっており、この配線可能空間１１は、平面視円弧状の着脱自在なカバー１０で塞がれている。カバー１０の長手両側面には、アウター部材６の段部６ａに係脱する係合爪１０ａを設けている。各アウター部材６の外周面とカバー１０の外周面とは同じ曲率半径に形成されており、このため支柱１，２は全体として円形の外観を呈している。
【００２６】
例えば図３に示すように、インナー部材５のうち平面視で三角形の頂点寄り部分には第１円弧状溝１３が、アウター部材６のうち半径方向の約中途部には第２円弧状溝１４と第３円弧状溝１５がそれぞれ形成されており、第１円弧状溝１３と第２円弧状溝１４とにねじ込まれたねじ１６により、インナー部材５とアウター部材６との下面にアジャスター受け１７の支持板１８を固定している。
【００２７】
図５に示すように、アジャスター受け１７の支持板１８には、下向き筒部１９  とアジャスターボルト２０とが固着されており、アジャスターボルト２０を、アジャスター２１のナット板２２にねじ込んでいる。
【００２８】
アジャスター２１のナット板２２には筒部２３を一体に固着しており、筒部２３はベース板２４に固着されている。アジャスター２１を水平回転させることにより、支柱１，２の高さを調節することができる。
【００２９】
例えば図３に明瞭に示すように、アジャスター受け１７の支持板１８には、配線可能空間１１に連通する配線通路２５を切り開き形成している。電源用や通信用等のケーブル類２６（図２，図４参照）は、床内に埋設したダクトから床上に引き出すことが多いことから、床上に引き出した（或いは這わせた）ケーブル類２６は、配線通路２５と配線可能空間１１とを介してテーブル上等に引き出すことができる。
【００３０】
配線通路２５と配線可能空間１１は半径外側に開口しているため、配線作業はカバー１０を取り外すことによって簡単に行える。
【００３１】
インナー部材５とアウター部材６とは、アルミ等の軽合金を素材とした押し出し成形品を採用しているが、板金製等であっても良い。また、カバー１０は合成樹脂の押し出し成形品を採用しているが、これを板金製等とすることも可能である。
【００３２】
(1)-2.テーブル
テーブル４は、３枚の天板２９とこれらを支持する脚３０とを備えている。天板２９は平面視１２０度の角度で広がっており、３枚の天板２９が組み合わさって全体として円形を成している。図２や図４から理解できるよように、天板２９と支柱１，２との間には、ケーブル類２６を引き出しできるようにある程度の間隔が空いている。
【００３３】
他方、脚３０は、天板２９の下面に沿って延びる水平部３０ａと、その先端に固定した支持足部３０ｂと、支柱１，２におけるアウター部材６の外面に重なる上下長手の取付け部３０ｃと、取付け部３０ｃの下端と支持足部３０ｂとを連結する補強杆３０ｄとを備えており、１本の脚３０の水平部３０ａが２枚の天板２９に跨がった状態で配置されている。
【００３４】
そして、水平部３０ａに固定したブラケット板３１を天板２９にねじで固定している。このため、３枚の天板２９は全体として１枚板状に連結されて、３本の脚３０で支持されている。例えば図２に示すように、取付け部３０ｃはエンド支柱２におけるアウター部材６の第１蟻溝９を塞ぐように広がっている一方、アウター部材６の第１蟻溝９にはナット板３３が嵌め込まれており、取付け部３０ｃに貫通したねじ（例えば皿ビス）３２を板ナット３３にねじ込むことにより、脚３０をエンド支柱２に固定している。
【００３５】
３本の脚３０のうち１本の脚３０は平面視で水平ビーム３と重なるように延びており、他の２本の脚３０は、平面視で水平ビーム３の外側に広がるように延びている。
【００３６】
配線可能空間１１からテーブル上にケーブル類２６を引き出すに当たっては、カバー１０を上下に分離して、上下に分離したカバーの間からケーブル類２６を引き出しても良いし、カバー１０に引き出し口を部分的に切欠いて、この引き出し口からケーブル類２６を引き出してもよい。
【００３７】
なお、テーブル４の形態や支柱１，２への取付け方法は様々な方法を採用できる。例えば天板は３枚組とする必要はなく、２枚組としたりドーナツ状の１枚物とすることも可能である。また、必ずしもドーナツ状に形成する必要はなく、半円形や扇形とすることも可能である。外形も円形に限らず、平面視四角形等の多角形とすることも可能である。
【００３８】
詳細は省略するが、支柱１，２を構成するアウター部材６の第１蟻溝９に、既述した板ナット３３や、多数の係合穴を空けたハンギングプレートなどを嵌め入れて、これら板ナット３３やハンギングプレートにブラケットを固定又は係止し、このブラケットによって小棚板２８を支持したり、液晶等のモニター（ディスプレイ）を取付けたりというように、アウター部材６の第１蟻溝９を利用して各種の物品・機器類を取り付けることができる。
【００３９】
(1)-3.支柱と水平ビームとの連結構造
次に、支柱１，２と水平ビーム３との連結構造を図６〜図１０に基づいて説明する。
【００４０】
図６は中間支柱１の箇所での平面図、図７のうち（Ａ）は図６のVIIA-VIIA 視断面図、（Ｂ）は図６のVIIB-VIIB 視断面、図８は補強金具の斜視図、図９は構造体の上部の分離正面図、図１０のうち（Ａ）は図９のXA-XA 視平面図、（Ｂ）は図９のXB-XB 視断面図、（Ｃ）（Ｄ）は他の連結金具の平面図である。
【００４１】
図７に示すように、水平ビーム３は全体としては中空の略角形に形成されており、長手中心線に沿って延びる第１上向き開口溝３５と、その両側に形成された２条の第２上向き開口溝３６と、一対の横向き開口蟻溝３７と、１条の下向き開口溝３８とを備えている。
【００４２】
第１上向き開口溝３５は上板３５ａによって底が形成されており、下向き開口溝３８は下板３８ａによって底面が構成されており、また、下向き開口溝３８を挟んだ前後両側には下向き突部３ａが形成されている。
【００４３】
各上向き開口溝３５，３６にはケーブル類２６を這わせることができ、このケーブル類２６は支柱１，２の配線可能空間１１に挿通できる。また、横向き開口蟻溝３７と下向き開口溝３８とには、映写用スクリーンや目隠し用幕類、カーテン、ホワイトボード等の様々の物品や機器類を吊懸けることができる。
【００４４】
中間支柱１と水平ビーム３とを連結するために連結金具３９が使用されている。この連結金具３９は、中間支柱１におけるインナー部材５の内部に上方からきっちり嵌まり込む平断面六角形の足部４０と、各水平ビーム３の中空部に嵌合し得る角筒状の３本のアーム４１とを溶接によって固着した態様になっており、図７（Ａ）に示すように、アーム４１と水平ビーム３の上板３５ａとがねじ４２でを固定されている。
【００４５】
図６及び図９に示すように、支柱１，２におけるインナー部材５の上部には、連結金具３９のアーム４１が嵌まる上向き開口の切欠き５ａが形成されている。この切欠き５ａの存在により、連結金具３９はきっちりと位置決めされる。
【００４６】
図７（Ａ）に示すように、水平ビーム３における下向き開口溝３８の底板３８ａは、連結金具３９のアーム４１が上方から嵌まるように部分的に切欠かれており、このため、アーム４１の両端部には下向き開口部４３が形成されている。
【００４７】
従って、予め左右に支柱１，２を立設しておいてから、水平ビーム３を固定することができる。また、水平ビーム３を交換する場合、連結金具３９は支柱１，２に取り付けたままで水平ビーム３だけを簡単に交換することができる。
【００４８】
連結金具３９の足部４０は支柱１，２におけるインナー部材５の内部に嵌まっているため、足部４０は単なる筒状や棒状であれば足り、従って、高い曲げ強度を確保することができる。
【００４９】
エンド支柱２と水平ビーム３とを連結するためのエンド用の連結金具３９は、図１０（Ｃ）に示すように１本のアーム４１を備えた形状になる。また、１本の中間支柱に２本の水平ビーム３を平面視でく字状の姿勢で取付けるための連結金具３９は、図１０（Ｄ）に示すように２本のアーム４１を備えた形状になる。
【００５０】
水平ビーム３は支柱１，２におけるインナー部材５の側面に突き合わさるように配置されており、このため、図９に示すように、インナー部材５の上部はアウター部材６及びカバー１０から上向きに突出している。このため、水平ビーム３が交叉している状態が露出したままであると体裁が悪い。
【００５１】
そこで、図９及び図１０（Ｄ）に示すように、各水平ビーム３の付け根部を、アウター部材６及びカバー１０と同じ曲率半径の筒状の天キャップ４４で隠している。従って、天キャップ４４には、水平ビーム３に嵌まる下向き開口の切欠き４５が形成されている。天キャップ４４は上下に開口しているが、上面が天板で塞がれていても良い。
【００５２】
中間支柱１に連結された水平ビーム３を補強部材で固定して、補強することができる。その一例を図６〜図８で示している。すなわちこの補強部材４６は、隣合った水平ビーム３における第２上向き開口溝３６を覆うような一対の嵌合部４６ａを備えており、この嵌合部４６ａを、第２上向き開口溝３６の内部に上向き抜け不能に嵌め入れた板ナット４８にねじ４７で固定している。
【００５３】
(2).第２実施形態（図11〜図12）
図１１〜図１２では第２実施形態を示している。図１１は概略斜視図、図１２は図１１のXII-XII 視断面図である。この実施形態では、１本の中間支柱１から４本の水平ビーム３が平面視で放射状に延びており、各エンド支柱２にテーブル４を取付けている。
【００５４】
この実施形態では、各支柱１，２がインナー部材５とアウター部材６とから成っている点は第１実施形態と同じであるが、インナー部材５は中空角形に形成されており、これに伴ってアウター部材６とカバー１０とを４本ずつ備えている点が第１実施形態と相違している。
【００５５】
本実施形態のように支柱１，２のインナー部材５を平面視四角形に形成すると、構造体は平面視でＴ字状やＬ字状のように、水平ビーム３が平面視で直角に延びる状態を基本として、自由なレイアウトを実現できる。
【００５６】
(3).第３実施形態（図13〜図26）
図１３〜図２６では、構造体を個室状に構成した第３実施形態を示している。まず、図１３〜図１７に基づいて概要を説明する。
【００５７】
(3)-1.概要
図１３は全体の概略斜視図、図１４は図１３のXIV-XIV 視図、図１５は図１４のXV−XV視図、図１６は図１４の XVI-XVI視断面図、図１７は壁部の部分的な平断面図である。本実施形態の支柱１は図１２のものと同じ構造なので、詳細は省略する。
【００５８】
構造体は壁ユニット４９を備えており、図１４に示す壁ユニット４９は、左右に配置された上下長手のサイドフレーム５０と、両サイドフレーム５０に連結された上下複数本の横フレーム５１と、これらサイドフレーム５０と横フレーム５１とで囲われた部分に着脱自在に取り付けた壁材５２とで構成されている。
【００５９】
図１７に示すように、サイドフレーム５０には、ナット板やハンギングプレートを嵌め込みできる第４蟻溝５３を形成している。なお、壁ユニット４９は様々の構造を採用することができ、壁材５２を備えていない例えば格子状の構造でも良いし、壁材としては網戸やスクリーン等も使用可能である。
【００６０】
図１５に示すように、サイドフレーム５０は、支柱１，２に取り付けた中間フレーム５４に取り付けられている。中間フレーム５４は、支柱１のアウター部材６と同じ断面形状の取り付け部５４ａと、サイドフレーム５０と良く似た断面形状の自由端部５４ｂとを備えており、全体として支柱１の半径外側にはみ出ている。
【００６１】
中間フレーム５４の自由端部５４ｂは別部材になっていてねじ５５で固定されているが、中間フレーム５４の全体を一体成形することも可能である。
【００６２】
図１６に示すように、水平ビーム３は第１実施形態と同じ断面形状である。他方、壁ユニット４９の横フレーム５１は中空角形であり、この横フレーム５１には、その略全長にわたって延びる上キャップ５１′をねじで固定しており、この上キャップ５１′を、水平ビーム３の下向き開口溝３８に下方から前後ずれ不能に嵌め込んでいる。
【００６３】
このため、壁ユニット４９はその広巾面に外力が作用しても、その外力にしっかりと抗して高い取付け強度を保持できる。なお、上キャップ５１′を使用せずに、横フレーム５１と水平ビーム３とを直接に嵌め合わせても良い。
【００６４】
横フレーム５１の上面と下面とには長溝５６が一対ずつ形成されており、壁材５２に取付けた弾性係止板５７を長溝５６に係脱させることにより、壁材５２を自在に着脱することができる。もちろん、壁材５２は、横フレーム５１の表裏外側に開口した蟻溝を利用して係止するなどしても良い。
【００６５】
図１６に実線で示すと共に図１７及び図２６で一点差線で示す例では、壁材５２はその広巾面が横フレーム５１と略同一面を成すように配置されており、他方、図１７及び図２６に実線で示す例では、壁材５２はその広巾面が水平ビーム３と略同一面を成すように配置されている。
【００６６】
この第３実施形態と既述の第２実施形態との対比から明らかなように、支柱１，２は、インナー部材５とアウター部材６との組合せを基本構成として、インナー部材５とアウター部材６だけで支柱１，２を構成したり、一部のアウター部材６を中間フレーム５４に置き換えたりすることにより、オープン方式の構造体と成したり、壁ユニット４９を備えている間仕切り状の個室状構造体と成したりすることを簡単に行える。
【００６７】
本実施形態では構造体の四周のうち三面を壁構造として一面を開口しているが、一点鎖線で示すように、全周を壁構造として、これにスライド式の扉５８で開閉される出入り口を設けても良い。次に、各部位の詳細を説明する。
【００６８】
(3)-2.下部の連結構造
次に、壁ユニット４９同士の連結構造、及び中間フレーム５４と壁ユニット４９との連結構造を、図１８〜図２２に基づいて説明する。図１８は壁ユニット４９同士の連結箇所の分離正面図、図１９は壁ユニット４９同士の連結構造を示す分離正面図、図２０及び図２１は部材の斜視図、図２２は図１８の XXII-XXII視平断面図である。
【００６９】
中間フレーム５４と壁ユニット４９との連結構造も、壁ユニット４９同士の連結構造も基本的には同じであり、ここでは主として壁ユニット４９同士の連結構造を取り上げて説明する。
【００７０】
互いに重なり合ったサイドフレーム５０は、下端の相互間は下部連結体５９で連結され、上部の相互間は上部連結体６０で連結されている。まず、下部の連結構造について説明する。
【００７１】
例えば図１９や図２０から容易に理解できるように、下部連結体５９は、一方のサイドフレーム５０のアウター係合溝６１に下方からきっちり嵌入する第１挿入部５９ａと、他方のサイドフレーム５０のアウター係合溝６１に下方からきっちり嵌入する第２挿入部５９ｂとを備えている。
【００７２】
本例では、第２挿入部５９ｂの高さは第１挿入部５９ａよりも低くなっており、かつ、第２挿入部５９ｂには段部５９ｃを形成している。また、他方のサイドフレーム５０におけるアウター係合溝６１の下端部の開口部には、下部連結体５９の段部５９ｃに対応した切欠きを形成している。下部連結体５９は、一方のサイドフレーム５０の底板６２で落下不能に支持されている。
【００７３】
この下部連結体５９により、隣合ったサイドフレーム５０は水平離反不能に保持される。また、図１８及び図２２に示すように、隣合ったサイドフレーム５０の下部には、１本のピン６３が嵌まる穴６４が空いており、前記ピン６３により、隣合ったサイドフレーム５０は上下離反不能に保持される。
【００７４】
サイドフレーム５０におけるアウター係合溝６１の開口縁には、ピン６３の大径部が落下不能に引っ掛かる切欠きが形成されている。そして、ピン６３を一方のサイドフレーム５０に装着すると共に、下部連結体５９を一方のサイドフレーム５０に嵌合しておいてから、他方のサイドフレーム５０を下部連結体５９の第２挿入部５９ｂに嵌め込みつつ、ピン６３に係合穴６４を嵌め込む。
【００７５】
すると、隣合ったサイドフレーム５０は水平離反不能で上下離反不能に保持される。一方のサイドフレーム５０をピン６３と下部連結体５９とに同時に嵌め込むため、下部連結体５９の高さは低くなっている。
【００７６】
(3)-3.上部の連結構造
上部連結体６０は、一方のサイドフレーム５０のアウター係合溝６１に上方から嵌まる第１クランプ体６６と、他方のサイドフレーム５０のアウター係合溝６１に上方から嵌まる第２クランプ体６７と、これらを締結するボルト（六角穴付きボルト）６８とから成っている。
【００７７】
両クランプ体６６，６７には、サイドフレーム５０のアウター係合溝６１から横向きに抜けないようにリップ６６ａ，６７ａが形成されている。また、第２クランプ体６７に設けた凸部６７ｂが一方のサイドフレーム５０のアウター係合溝６１にきっちり嵌まるようになっており、かつ、第２クランプ体６７の凸部６７ｂに形成した凹所６６ｃに、第１クランプ体６６に設けた突起６６ｂがきっちり嵌合している。
【００７８】
更に、第２クランプ体６７の凸部６７ｂにはボルト挿入穴６９が空いており、他方、第１クランプ体６６の突起６６ａにはねじ穴７０が空いている。
【００７９】
このとき、第１クランプ体６６の突起６６ｂの上面を正面視で斜め下向きの傾斜面６６ｃとなし、この傾斜面６６ｃにねじ穴７０を開口させる一方、第２クランプ体６７における凸部６７ｂに、正面で前記第１クランプ体６６の傾斜面に重なる平板状の傾斜板部６７ｄを設け、この傾斜板部６７ｄにボルト挿入穴７０を空けている。
【００８０】
図２０に示すように、他方のサイドフレーム５０におけるアウター係合溝６１の底部は、ボルト（皿ビス）６８の頭に干渉しないように若干の寸法だけ上向きに切り開かれている（切り開き部を符号７１で示す）。なお、ボルト６８は、六角穴付きの皿ビス等を使用しても良い。
【００８１】
壁ユニット４９同士を連結するには、隣合ったサイドフレーム５０を重ね合わせて先に下部を下部連結体５９及びピン６３で連結してから、両サイドフレーム５０のアウター係合溝６１にそれぞれクランプ体６６，６７を挿入し、次いで、正面視で傾斜状の姿勢にした六角レンチをボルト６８の頭に嵌め入れて、ボルト６８を第１クランプ体６６にねじ込む。これにより、両サイドフレーム５０はその上部において強固に締結される。
【００８２】
ボルト６８を傾斜状の姿勢にしたことにより、サイドフレーム５０の内面部をカットすることなく、六角レンチを使用して両サイドフレーム５０を強固に締結することができる。
【００８３】
上述の説明から理解できるように、ボルト６８を斜め上方からねじ込んで連結するものであるため、左右に支柱１，２を立設した状態で、壁ユニット４９を連結することができる。図１８に符号７２で示すのはキャップである。
【００８４】
(3)-4.支柱と水平ビームとの連結構造及びまとめ
支柱１，２と水平ビーム３との連結構造は図２３〜図２６に示されている。図２３のうち（Ａ）は分離正面図、（Ｂ）は（Ａ）のＢ−Ｂ視断面図、図２４は部材の分離斜視図、図２５は平面図、図２６は図２５の XXVI-XXVI視断面図である。
【００８５】
本実施形態における支柱１，２と水平ビーム３との連結構造は基本的には第１実施形態と同様であり、支柱１，２と連結金具３９との形態が相違するだけである。このため詳細な説明は省略する。
【００８６】
四角形のインナー部材５を備えた支柱１，２を使用して、第２実施形態のようなオープンタイプの構造体と、第３実施形態のような壁ユニット４９を有するクローズドタイプの構造体とを組み立てることができるが、水平ビーム３は連結金具３９のアーム４１に対して上方から嵌め合わせるものであるため、予め壁ユニット４９を取付けてから水平ビーム３を固定することができ、このため、施工が頗る楽である。
【００８７】
また、実施形態のように上方から回転操作するボルト６８を使用して壁ユニット４９同士を連結したり、壁ユニット４９を中間フレーム５４に連結したりする構成にすると、支柱１，２はその所定の位置に立設した状態のままで壁ユニット４９を取り外してオープンタイプとしたり、逆にオープンタイプからクローズどタイプにしたり、或いは壁ユニット４９を他の構造のものに簡単したりすることを簡単に行える利点がある。
【００８８】
(4).その他
本発明は、上記の実施形態の他にも様々に具体化することができる。例えば支柱や水平ビームの断面形状や用途等に応じて任意に変更できる。第１実施形態のような三角形のインナー部材を有する支柱を利用してクローズドタイプの構造体（例えば平面視六角形の構造体）を形成できることは言うまでもない。
【００８９】
なお、足部とアームとを備えた連結金具を介して水平ビームを支柱に取付けると共に、水平ビームと壁ユニットとを嵌合させることは、中空状でない水平ビームについても適用することが可能である。
【図面の簡単な説明】
【図１】第１実施形態の概略図で、 (A)は斜視図、 (B)は平面図である。
【図２】図１のII−II視断面図である。
【図３】支柱の分離断面図である。
【図４】図２のIV−IV視断面図である。
【図５】 (A)は分離断面図、 (B)は (A)の B-B視底面図である。
【図６】中間支柱の箇所での平面図である。
【図７】 (A)は図６のVIIA-VIIA 視断面図、 (B)は図６のVIIB-VIIB 視断面図である。
【図８】補強金具の斜視図である。
【図９】支柱と水平ビームとの取り付け関係を示す分離正面図である。
【図10】 (A)は図９のXA-XA 視平面図、 (B)は図９のXB-XB 視断面図、(C)(D)は他の連結金具の平面図である。
【図11】第２実施形態の概略斜視図である。
【図12】図１１のXII-XII 視断面図である。
【図13】第３実施形態の概略斜視図である。
【図14】図１３のXIV-XIV 視図である。
【図15】図１４のXV−XV視断面図である。
【図16】図１４の XVI-XVI視断面図である。
【図17】壁ユニットの部分的な平断面図である。
【図18】壁ユニット同士の連結箇所の一部分離正面図である。
【図19】壁ユニット同士の連結構造を示す分離正面図である。
【図20】部材の斜視図である。
【図21】部材の斜視図である。
【図22】図１８の XXII-XXII視平断面図である。
【図23】（Ａ）は支柱と水平ビームとの連結構造を示す分離正面図、（Ｂ）は（Ａ）のＢ−Ｂ視断面図である。
【図24】支柱と水平ビームとの連結構造を示す分離斜視図である。
【図25】支柱と水平ビームとの連結部の平面図である。
【図26】図２５の XXVI-XXVI視断面図である。
【符号の説明】
１  中間支柱
２  エンド支柱
３  水平ビーム
３ａ  下向き突部
４  テーブル
５  インナー部材
６  アウター部材
３５ａ  水平ビームの上板
３８  下向き開口溝
３８ａ  水平ビームの下板
３９  連結金具
４０  連結金具の足部
４１  連結金具のアーム
４３  下向き開口部
４９  壁ユニット
５０  サイドフレーム
５１  横フレーム
５１′  壁ユニットの上端部を構成する上キャップ
５４  中間フレーム
【図１】
0003903254.tif 000002
【図２】
0003903254.tif 000003
【図３】
0003903254.tif 000004
【図４】
0003903254.tif 000005
【図５】
0003903254.tif 000006
【図６】
0003903254.tif 000007
【図７】
0003903254.tif 000008
【図８】
0003903254.tif 000009
【図９】
0003903254.tif 000010
【図１０】
0003903254.tif 000011
【図１１】
0003903254.tif 000012
【図１２】
0003903254.tif 000013
【図１３】
0003903254.tif 000014
【図１４】
0003903254.tif 000015
【図１５】
0003903254.tif 000016
【図１６】
0003903254.tif 000017
【図１７】
0003903254.tif 000018
【図１８】
0003903254.tif 000019
【図１９】
0003903254.tif 000020
【図２０】
0003903254.tif 000021
【図２１】
0003903254.tif 000022
【図２２】
0003903254.tif 000023
【図２３】
0003903254.tif 000024
【図２４】
0003903254.tif 000025
【図２５】
0003903254.tif 000026
【図２６】
0003903254.tif 000027